(57)【要約】【課題】所望の単語を入力しようとする操作の手間を省力化する。【解決手段】実施形態におけるコンテンツ作成装置は、外部で文章を含んで作成されたソースコンテンツを取得するソースコンテンツ取得部と、ソースコンテンツ中の文章から、特定の種別に属する単語の一覧を用いて、特定の種別に属する単語を抽出する単語抽出部と、特定の種別に属する単語に対応する、列挙対象の単語の一覧を用いて、抽出した単語が所属する概念に対応する単語を列挙する単語列挙部と、文字を入力するための操作を受け付ける入力装置と、列挙した単語のうち入力した文字若しくは入力した文字を変換した文字に前方一致する単語を優先的な入力候補として提示するリプライコンテンツ作成部とを有する。【選択図】図１
2019071098.tif 000002
【特許請求の範囲】
【請求項１】
外部で文章を含んで作成されたソースコンテンツを取得するソースコンテンツ取得部と、
特定の種別に属する単語の一覧を格納する第１の記憶装置と、
前記ソースコンテンツ取得部により取得したソースコンテンツ中の文章から、前記第１の記憶装置に格納した特定の種別に属する単語の一覧を用いて、前記特定の種別に属する単語を抽出する単語抽出部と、
前記単語抽出部により抽出した特定の種別に属する単語に対応する、列挙対象の単語の一覧を格納する第２の記憶装置と、
前記第２の記憶装置に格納した列挙対象の単語の一覧を用いて、前記単語抽出部により抽出した単語が所属する概念に対応する単語を列挙する単語列挙部と、
文字を入力するための操作を受け付ける入力装置と、
前記単語列挙部により列挙した単語のうち前記入力した文字若しくは前記入力した文字を変換した文字に前方一致する単語を優先的な入力候補として提示するリプライコンテンツ作成部とを備えたことを特徴とするコンテンツ作成装置。
【請求項２】
前記第１の記憶装置は、第１の品詞の単語の一覧を格納し、
前記単語抽出部は、前記ソースコンテンツ中の文章から、前記第１の記憶装置に格納した前記第１の品詞の単語の一覧を用いて、前記第１の品詞の単語を抽出し、
前記第２の記憶装置は、前記単語抽出部により抽出した前記第１の品詞の単語に対応する、列挙対象の第２の品詞に該当する単語の一覧を格納し、
前記第２の記憶装置に格納した前記第２の品詞に該当する単語の一覧を用いて、前記単語列挙部は、前記単語抽出部により抽出した前記第２の品詞に該当する単語が所属する概念に対応する前記第２の品詞に該当する単語を列挙し、
前記リプライコンテンツ作成部は、前記単語列挙部により列挙した前記第２の品詞に該当する単語のうち前記入力した文字若しくは前記入力した文字を変換した文字に前方一致する前記第２の品詞に該当する単語を前記入力候補として提示することを特徴とする請求項１に記載のコンテンツ作成装置。
【請求項３】
前記第１の品詞が名詞で、前記第２の品詞が名詞であること、
または前記第１の品詞が名詞で、前記第２の品詞が形容詞であること、
または前記第１の品詞が名詞で、前記第２の品詞が動詞であること、
または前記第１の品詞が動詞で、前記第２の品詞が副詞であること、
のいずれかであることを特徴とする請求項２に記載のコンテンツ作成装置。
【請求項４】
ソースコンテンツ取得部、第１の記憶装置、単語抽出部、第２の記憶装置、単語列挙部、入力装置、およびリプライコンテンツ作成部を備えるコンテンツ作成装置により実行されるコンテンツ作成方法であって、
前記ソースコンテンツ取得部は、外部で文章を含んで作成されたソースコンテンツを取得し、
前記第１の記憶装置は、特定の種別に属する単語の一覧を格納し、
前記単語抽出部は、前記ソースコンテンツ取得部により取得したソースコンテンツ中の文章から、前記第１の記憶装置に格納した特定の種別に属する単語の一覧を用いて、前記特定の種別に属する単語を抽出し、
前記第２の記憶装置は、前記単語抽出部により抽出した特定の種別に属する単語に対応する、列挙対象の単語の一覧を格納し、
前記単語列挙部は、前記第２の記憶装置に格納した列挙対象の単語の一覧を用いて、前記単語抽出部により抽出した単語が所属する概念に対応する単語を列挙し、
前記入力装置は、文字を入力するための操作を受け付け、
前記リプライコンテンツ作成部は、前記単語列挙部により列挙した単語のうち前記入力した文字若しくは前記入力した文字を変換した文字に前方一致する単語を優先的な入力候補として提示することを特徴とするコンテンツ作成方法。
【請求項５】
前記第１の記憶装置は、第１の品詞の単語の一覧を格納し、
前記単語抽出部は、前記ソースコンテンツ中の文章から、前記第１の記憶装置に格納した前記第１の品詞の単語の一覧を用いて、前記第１の品詞の単語を抽出し、
前記第２の記憶装置は、前記単語抽出部により抽出した前記第１の品詞の単語に対応する、列挙対象の第２の品詞に該当する単語の一覧を格納し、
前記第２の記憶装置に格納した前記第２の品詞に該当する単語の一覧を用いて、前記単語列挙部は、前記単語抽出部により抽出した前記第２の品詞に該当する単語が所属する概念に対応する前記第２の品詞に該当する単語を列挙し、
前記リプライコンテンツ作成部は、前記単語列挙部により列挙した前記第２の品詞に該当する単語のうち前記入力した文字若しくは前記入力した文字を変換した文字に前方一致する前記第２の品詞に該当する単語を前記入力候補として提示することを特徴とする請求項４に記載のコンテンツ作成方法。
【請求項６】
前記第１の品詞が名詞で、前記第２の品詞が名詞であること、
または前記第１の品詞が名詞で、前記第２の品詞が形容詞であること、
または前記第１の品詞が名詞で、前記第２の品詞が動詞であること、
または前記第１の品詞が動詞で、前記第２の品詞が副詞であること、
のいずれかであることを特徴とする請求項５に記載のコンテンツ作成方法。
【請求項７】
請求項１乃至３のいずれか１項に記載のコンテンツ作成装置の一部分として動作するコンピュータに用いられるプログラムであって、
前記コンピュータを、
前記ソースコンテンツ取得部、前記第１の記憶装置、前記単語抽出部、前記第２の記憶装置、前記単語列挙部、前記入力装置、および前記リプライコンテンツ作成部として機能させるためのコンテンツ作成処理プログラム。
【発明の詳細な説明】
【技術分野】
【０００１】
本発明の実施形態は、コンテンツ作成装置、コンテンツ作成方法およびコンテンツ作成処理プログラムに関する。
【背景技術】
【０００２】
特許文献１に開示されるように、利用者の地理的位置に基づいて仮名漢字変換の候補を表示する技術がある。具体的には、入力された日本語の「よみ」、及び、測位機能により得られた現在地について、逆ジオコーディングすることにより地理表現に変換し、地理表現記憶手段に格納し、変換候補に関連付けられた地理表現、時間表現、各文字列が文字情報そのものにどれだけ近いかの度合いを表す単語値、地理表現に対して地理的に合致しているか否かの度合いである地理係数、時間表現が時間的に近いか遠いかの度合いであり、時間帯条件合致判定に用いられる窓関数を用いて算出された時間係数が、「よみ」に対応付けられて格納されたスコア算出用テーブルを参照して、動的変換優先スコアを算出し、文字列候補を動的変換優先スコア順にソートして出力する。
【先行技術文献】
【特許文献】
【０００３】
【特許文献１】特開２０１３−２４２７３５号公報
【発明の概要】
【発明が解決しようとする課題】
【０００４】
しかし、SNS（Social Network Service）などでは、元となるコンテンツ（以下、ソースコンテンツと呼ぶ）に対して複数の人が感想などを反応（以下、リプライコンテンツと呼ぶ）として返すことが一般的である。しかし、このような使い方をする際に、上記のように地理的位置に基づいて仮名漢字変換の候補を表示する技術ではリプライコンテンツの作成をソースコンテンツの内容に応じて省力化することができない。
【０００５】
すなわち、ユーザがリプライコンテンツを作成する際に、該ユーザがソースコンテンツに含まれる単語そのものや同じ概念に属する単語を簡単に入力したい場合において、上記の地理的位置に基づいて仮名漢字変換の候補を表示する技術における文字入力過程ではソースコンテンツに応じた優先度合いなどは考慮されていない。このため、ソースコンテンツの話題とは全く関係ない単語が入力候補としてモニタ表示されてしまう場合がある。そのため、ユーザによりソースコンテンツの内容に応じた適切なリプライコンテンツを作成するための所望の単語を入力しようとするキー操作（スマートフォンの場合はタッチパネル操作）の手間を省力化できない。
【０００６】
本発明が解決しようとする課題は、所望の単語を入力しようとする操作の手間を省力化することができるコンテンツ作成装置、コンテンツ作成方法およびコンテンツ作成処理プログラムを提供することである。
【課題を解決するための手段】
【０００７】
上記目的を達成するために、本発明の実施形態におけるコンテンツ作成装置の第１の態様は、外部で文章を含んで作成されたソースコンテンツを取得するソースコンテンツ取得部と、特定の種別に属する単語の一覧を格納する第１の記憶装置と、前記ソースコンテンツ取得部により取得したソースコンテンツ中の文章から、前記第１の記憶装置に格納した特定の種別に属する単語の一覧を用いて、前記特定の種別に属する単語を抽出する単語抽出部と、前記単語抽出部により抽出した特定の種別に属する単語に対応する、列挙対象の単語の一覧を格納する第２の記憶装置と、前記第２の記憶装置に格納した列挙対象の単語の一覧を用いて、前記単語抽出部により抽出した単語が所属する概念に対応する単語を列挙する単語列挙部と、文字を入力するための操作を受け付ける入力装置と、前記単語列挙部により列挙した単語のうち前記入力した文字若しくは前記入力した文字を変換した文字に前方一致する単語を優先的な入力候補として提示するリプライコンテンツ作成部とを有する。
【０００８】
上記構成のコンテンツ作成装置の第２の態様は、第１の態様において、前記第１の記憶装置は、第１の品詞の単語の一覧を格納し、前記単語抽出部は、前記ソースコンテンツ中の文章から、前記第１の記憶装置に格納した前記第１の品詞の単語の一覧を用いて、前記第１の品詞の単語を抽出し、前記第２の記憶装置は、前記単語抽出部により抽出した前記第１の品詞の単語に対応する、列挙対象の第２の品詞に該当する単語の一覧を格納し、前記第２の記憶装置に格納した前記第２の品詞に該当する単語の一覧を用いて、前記単語列挙部は、前記単語抽出部により抽出した前記第２の品詞に該当する単語が所属する概念に対応する前記第２の品詞に該当する単語を列挙し、前記リプライコンテンツ作成部は、前記単語列挙部により列挙した前記第２の品詞に該当する単語のうち前記入力した文字若しくは前記入力した文字を変換した文字に前方一致する前記第２の品詞に該当する単語を前記入力候補として提示する。
【０００９】
上記構成のコンテンツ作成装置の第３の態様は、第２の態様において、前記第１の品詞が名詞で、前記第２の品詞が名詞であること、または前記第１の品詞が名詞で、前記第２の品詞が形容詞であること、または前記第１の品詞が名詞で、前記第２の品詞が動詞であること、または前記第１の品詞が動詞で、前記第２の品詞が副詞であること、のいずれかである。
【００１０】
本発明の実施形態におけるコンテンツ作成方法の第１の態様は、ソースコンテンツ取得部、第１の記憶装置、単語抽出部、第２の記憶装置、単語列挙部、入力装置、およびリプライコンテンツ作成部を備えるコンテンツ作成装置により実行されるコンテンツ作成方法であって、前記ソースコンテンツ取得部は、外部で文章を含んで作成されたソースコンテンツを取得し、前記第１の記憶装置は、特定の種別に属する単語の一覧を格納し、前記単語抽出部は、前記ソースコンテンツ取得部により取得したソースコンテンツ中の文章から、前記第１の記憶装置に格納した特定の種別に属する単語の一覧を用いて、前記特定の種別に属する単語を抽出し、前記第２の記憶装置は、前記単語抽出部により抽出した特定の種別に属する単語に対応する、列挙対象の単語の一覧を格納し、前記単語列挙部は、前記第２の記憶装置に格納した列挙対象の単語の一覧を用いて、前記単語抽出部により抽出した単語が所属する概念に対応する単語を列挙し、前記入力装置は、文字を入力するための操作を受け付け、前記リプライコンテンツ作成部は、前記単語列挙部により列挙した単語のうち前記入力した文字若しくは前記入力した文字を変換した文字に前方一致する単語を優先的な入力候補として提示する。
【００１１】
上記のコンテンツ作成方法の第２の態様は、第１の態様において、前記第１の記憶装置は、第１の品詞の単語の一覧を格納し、前記単語抽出部は、前記ソースコンテンツ中の文章から、前記第１の記憶装置に格納した前記第１の品詞の単語の一覧を用いて、前記第１の品詞の単語を抽出し、前記第２の記憶装置は、前記単語抽出部により抽出した前記第１の品詞の単語に対応する、列挙対象の第２の品詞に該当する単語の一覧を格納し、前記第２の記憶装置に格納した前記第２の品詞に該当する単語の一覧を用いて、前記単語列挙部は、前記単語抽出部により抽出した前記第２の品詞に該当する単語が所属する概念に対応する前記第２の品詞に該当する単語を列挙し、前記リプライコンテンツ作成部は、前記単語列挙部により列挙した前記第２の品詞に該当する単語のうち前記入力した文字若しくは前記入力した文字を変換した文字に前方一致する前記第２の品詞に該当する単語を前記入力候補として提示する。
【００１２】
上記のコンテンツ作成方法の第３の態様は、第２の態様において、前記第１の品詞が名詞で、前記第２の品詞が名詞であること、または前記第１の品詞が名詞で、前記第２の品詞が形容詞であること、または前記第１の品詞が名詞で、前記第２の品詞が動詞であること、または前記第１の品詞が動詞で、前記第２の品詞が副詞であること、のいずれかである。
【００１３】
本発明の実施形態におけるコンテンツ作成処理プログラムは、第１乃至第３の態様のいずれか１つにおけるコンテンツ作成装置の一部分として動作するコンピュータに用いられるプログラムであって、前記コンピュータを、前記ソースコンテンツ取得部、前記第１の記憶装置、前記単語抽出部、前記第２の記憶装置、前記単語列挙部、前記入力装置、および前記リプライコンテンツ作成部として機能させる。
【発明の効果】
【００１４】
本発明によれば、所望の単語を入力しようとする操作の手間を省力化することができる。
【図面の簡単な説明】
【００１５】
【図１】本発明の実施形態におけるコンテンツ作成装置の構成例を示す図。
【図２】本発明の実施形態におけるコンテンツ作成装置による処理手順の第１の例を示すフローチャート。
【図３】本発明の実施形態におけるコンテンツ作成装置の入力画面の一例を示す図。
【図４】本発明の実施形態におけるコンテンツ作成装置による処理手順の第２の例を示すフローチャート。
【図５】本発明の実施形態におけるコンテンツ作成装置による処理手順の第３の例を示すフローチャート。
【図６】本発明の実施形態におけるコンテンツ作成装置による処理手順の第４の例を示すフローチャート。
【発明を実施するための形態】
【００１６】
以下、図面を参照して、この発明に係る実施形態を説明する。  
図１は、本発明の実施形態におけるコンテンツ作成装置の構成例を示す図である。  
本実施形態におけるコンテンツ作成装置１０は、例えばパーソナルコンピュータ、携帯電話、タブレット端末である。このコンテンツ作成装置１０は、ソースコンテンツ取得部１１、単語抽出部１２、リプライコンテンツ作成部１３、リプライコンテンツ送信部１４、入力装置１５、表示装置１６を含む。入力装置１５は、例えばキーボードやタッチパネルなどにより実現される。
【００１７】
メーリングリスト、掲示板システム、SNSなど、ネットワークを通じて複数のユーザがコンテンツを読み書きするシステムを考える。また、このシステムでは、関連するコンテンツがスレッドなどの仕組みにより纏められているものとする。関連するコンテンツの中で最初に掲示板に書き込まれるなどされたものをソースコンテンツとし、このソースコンテンツにユーザが反応する形で掲示板に書き込まるなどされたものをリプライコンテンツとして区別する。
【００１８】
ユーザは、コンテンツ作成装置１０を利用して、ソースコンテンツや既に作成されたリプライコンテンツを表示装置１６により閲覧し、自らも入力装置１５を用いて新たなリプライコンテンツを作成してインターネット２０に送信する。
【００１９】
コンテンツ作成装置１０は、ソースコンテンツを作成する機能を持つ場合もあるが、ここではリプライコンテンツを作成する機能についてのみ述べる。
【００２０】
以下、コンテンツ作成装置の動作の詳細の第１の例について述べる。  
図２は、本発明の実施形態におけるコンテンツ作成装置による処理手順の第１の例を示すフローチャートである。  
まず、コンテンツ作成装置１０のソースコンテンツ取得部１１は、ソースコンテンツを取得する（ステップＳ１）。具体的には、ソースコンテンツ取得部１１は、インターネット２０を経由してSNSのサーバなどにリクエストを送信し、そのレスポンスとしてインターネット２０からソースコンテンツを取得する。
【００２１】
つぎに、単語抽出部１２は、取得されたソースコンテンツのテキストの中から名詞部分を抽出する（ステップＳ２）。具体的には、単語抽出部１２は、名詞を抽出するために、例えば内部メモリにあらかじめ名詞の一覧を格納しておき、ソースコンテンツのテキストに対する形態素解析によって、文法の知識に基づいて名詞部分を判別することができる。
【００２２】
つぎに、単語抽出部１２は、抽出した名詞を含む概念を導出し（ステップＳ３）、この概念に対応する名詞を列挙する（ステップＳ４）。例えば、ソースコンテンツに「犬」という名詞があれば、単語抽出部１２は、「動物」との概念を導出し、「猫」「うさぎ」等の名詞を列挙する。ソースコンテンツの名詞と列挙対象の名詞とを対応づけるには、例えばソースコンテンツの名詞に対応する、列挙対象の名詞の一覧を内部メモリに予め格納しておき、単語抽出部１２は、既存のソースコンテンツと新たなリプライコンテンツのために入力された文字との組に基づいて、これらのコンテンツに対応しそうな名詞の組を列挙することができる。
【００２３】
ユーザによる入力装置１５への操作により（ステップＳ５）、リプライコンテンツ作成部１３は、リプライコンテンツを作成する。このとき、リプライコンテンツ作成部１３は、前述したように列挙された名詞を表示装置１６に適宜表示させることで、ユーザに提示する。例えばユーザが入力装置１５を用いて文字を一文字入力したときに、リプライコンテンツ作成部１３は、先頭にその文字を持つ、列挙された名詞を入力候補として表示装置１６に表示し、ユーザに所望の名詞を選択させる（ステップＳ６）。この表示において、リプライコンテンツ作成部１３は、ソースコンテンツに含まれる名詞と同じ名詞を優先度が高い変換候補として表示装置１６に表示してもよい。その後は、リプライコンテンツの作成が終了するまで、Ｓ５、Ｓ６の手順が繰り返される。
【００２４】
図３は、本発明の実施形態におけるコンテンツ作成装置の入力画面の一例を示す図である。  
図３に示すように、ソースコンテンツに「ポルシェ（登録商標）」という単語が出現している場合、ユーザは、このソースコンテンツに返信するなら、リプライコンテンツのために入力窓３１で入力した文字「ポ」の第一変換候補としてソースコンテンツ中と同じ「ポルシェ」が変換候補の表示エリア３２に提示されれば、ユーザにとっての文字入力にかかる利便性が向上する。  
また、ユーザは、上記の第一変換候補にしたがった変換を行わずに文字の入力を続けることもできるので、変換キーを何度も押す手間が増えることはない。
【００２５】
ソースコンテンツが名詞を含む場合、その名詞を主題として、リプライコンテンツは同概念の名詞を含むことが多い。上記の処理手順の第１の例によれば、コンテンツ作成装置は、ソースコンテンツ中の文章から名詞を抽出し、同概念の名詞を入力候補としてユーザ（リプライコンテンツ作成者）に提示する。これにより、リプライコンテンツの作成の際にユーザが入力装置１５の文字入力キーや変換キーを操作する回数を減らすことができるので、リプライコンテンツの作成を省力化することができる。
【００２６】
次に、コンテンツ作成装置の動作の詳細の第２の例について述べる。この例では、列挙する入力候補は、ソースコンテンツ中の名詞の概念に対応する形容詞である。  
図４は、本発明の実施形態におけるコンテンツ作成装置による処理手順の第２の例を示すフローチャートである。  
まず、コンテンツ作成装置１０のソースコンテンツ取得部１１は、ソースコンテンツを取得する（ステップＳ２１）。  
つぎに、単語抽出部１２は、取得されたソースコンテンツのテキストの中から名詞部分を抽出する（ステップＳ２２）。
【００２７】
つぎに、単語抽出部１２は、抽出した名詞を含む概念を導出し（ステップＳ２３）、この概念に対応する形容詞を列挙する（ステップＳ２４）。例えば、ソースコンテンツに「ラーメン」という名詞があれば、単語抽出部１２は、「食品」との概念を導出し、「美味しい」「辛い」「脂っこい」等の形容詞を列挙する。名詞と形容詞とを対応づけるには、例えば名詞に対応する形容詞の一覧を内部メモリに予め格納しておき、単語抽出部１２は、既存のソースコンテンツと新たなリプライコンテンツのために入力された文字との組に基づいて、これらのコンテンツに対応しそうな名詞と形容詞との組を列挙することができる。
【００２８】
ユーザによる入力装置１５への操作により（ステップＳ２５）、リプライコンテンツ作成部１３は、リプライコンテンツを作成する。このとき、リプライコンテンツ作成部１３は、前述したように列挙された形容詞を表示装置１６に適宜表示させることで、ユーザに提示する。例えばユーザが入力装置１５を用いて文字を一文字入力したときに、リプライコンテンツ作成部１３は、先頭にその文字を持つ、列挙された形容詞を入力候補として表示装置１６に表示し、ユーザに所望の形容詞を選択させる（ステップＳ２６）。その後は、リプライコンテンツの作成が終了するまで、Ｓ２５、Ｓ２６の手順が繰り返される。
【００２９】
ソースコンテンツに対するリプライコンテンツは感想を含むことが多い。この感想には形容詞が使われることが多い。上記の処理手順の第２の例によれば、コンテンツ作成装置は、ソースコンテンツの中文章から名詞を抽出し、その名詞に対して予想される感想となる形容詞を連想してユーザ（リプライコンテンツ作成者）に提示する。これにより、リプライコンテンツの作成を省力化することができる。
【００３０】
次に、コンテンツ作成装置の動作の詳細の第３の例について述べる。この例では、列挙する入力候補は、ソースコンテンツ中の名詞の概念に対応する動詞である。  
図５は、本発明の実施形態におけるコンテンツ作成装置による処理手順の第３の例を示すフローチャートである。  
まず、コンテンツ作成装置１０のソースコンテンツ取得部１１は、ソースコンテンツを取得する（ステップＳ３１）。  
つぎに、単語抽出部１２は、取得されたソースコンテンツのテキストの中から名詞部分を抽出する（ステップＳ３２）。
【００３１】
つぎに、単語抽出部１２は、抽出した名詞を含む概念を導出し（ステップＳ３３）、この概念に対応する動詞を列挙する（ステップＳ３４）。例えば、ソースコンテンツに「犬」「猫」「うさぎ」という名詞があれば、単語抽出部１２は、「動物」との概念を導出し、「走る」「食べる」「座る」等の動詞を列挙する。名詞と動詞とを対応づけるには、例えば名詞に対応する動詞の一覧を内部メモリに予め格納しておき、単語抽出部１２は、既存のソースコンテンツと新たなリプライコンテンツのために入力された文字との組に基づいて、これらのコンテンツに対応しそうな名詞と動詞との組を列挙することができる。
【００３２】
ユーザによる入力装置１５への操作により（ステップＳ３５）、リプライコンテンツ作成部１３は、リプライコンテンツを作成する。このとき、リプライコンテンツ作成部１３は、前述したように列挙された動詞を表示装置１６に適宜表示させることで、ユーザに提示する。例えばユーザが入力装置１５を用いて文字を一文字入力したときに、リプライコンテンツ作成部１３は、先頭にその文字を持つ、列挙された動詞を入力候補として表示装置１６に表示し、ユーザに所望の動詞を選択させる（ステップＳ３６）。その後は、リプライコンテンツの作成が終了するまで、Ｓ３５、Ｓ３６の手順が繰り返される。
【００３３】
ソースコンテンツに対してリプライコンテンツは、名詞に関連する動詞が使われることが多い。上記の処理手順の第３の例によれば、コンテンツ作成装置は、ソースコンテンツ中の文章から名詞を抽出し、その名詞に対して予想される動詞を連想してユーザ（リプライコンテンツ作成者）に提示する。これにより、リプライコンテンツの作成を省力化することができる。
【００３４】
次に、コンテンツ作成装置の動作の詳細の第４の例について述べる。この例では、列挙する入力候補は、ソースコンテンツ中の動詞の概念に対応する副詞である。  
図６は、本発明の実施形態におけるコンテンツ作成装置による処理手順の第４の例を示すフローチャートである。  
まず、コンテンツ作成装置１０のソースコンテンツ取得部１１は、ソースコンテンツを取得する（ステップＳ４１）。  
つぎに、単語抽出部１２は、取得されたソースコンテンツのテキストの中から動詞部分を抽出する（ステップＳ４２）。
【００３５】
つぎに、単語抽出部１２は、抽出した動詞を含む概念を導出し（ステップＳ４３）、この概念に対応する副詞を列挙する（ステップＳ４４）。例えば、ソースコンテンツに「走る」という動詞があれば、単語抽出部１２は、「行動」との概念を導出し、「すぐに」「ゆっくり」等の副詞を列挙する。動詞と副詞とを対応づけるには、例えば動詞に対応する副詞の一覧を内部メモリに予め格納しておき、単語抽出部１２は、既存のソースコンテンツと新たなリプライコンテンツのために入力された文字との組に基づいて、これらのコンテンツに対応しそうな動詞と副詞との組を列挙することができる。
【００３６】
ユーザによる入力装置１５への操作により（ステップＳ４５）、リプライコンテンツ作成部１３は、リプライコンテンツを作成する。このとき、リプライコンテンツ作成部１３は、前述したように列挙された副詞を表示装置１６に適宜表示させることで、ユーザに提示する。例えばユーザが入力装置１５を用いて文字を一文字入力したときに、リプライコンテンツ作成部１３は、先頭にその文字を持つ、列挙された副詞を入力候補として表示装置１６に表示し、ユーザに所望の副詞を選択させる（ステップＳ４６）。その後は、リプライコンテンツの作成が終了するまで、Ｓ４５、Ｓ４６の手順が繰り返される。
【００３７】
ソースコンテンツに対してリプライコンテンツは、動詞に関連する副詞が使われることが多い。上記の処理手順の第４の例によれば、コンテンツ作成装置は、ソースコンテンツ中の文章から動詞を抽出し、その動詞に対して予想される副詞を連想してリプライコンテンツ作成者に提示する。これにより、リプライコンテンツの作成を省力化することができる。
【００３８】
以上のように、ソースコンテンツに対してリプライコンテンツは同じ単語を含むことが多い。本発明の実施形態によれば、コンテンツ作成装置は、ソースコンテンツ中の文章から単語を抽出し、その単語を入力候補としてリプライコンテンツ作成者に提示することにより、リプライコンテンツの作成を省力化できる。
【００３９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４０】
また、実施形態に記載した手法は、計算機（コンピュータ）に実行させることができるプログラム（ソフトウエア手段）として、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスクや半導体メモリ等の記憶媒体を含むものである。
【符号の説明】
【００４１】
１０…コンテンツ作成装置、１１…ソースコンテンツ取得部、１２…単語抽出部、１３リプライコンテンツ作成部…、１４…リプライコンテンツ送信部、１５…入力装置、１６…表示装置、２０…インターネット。
【図１】
2019071098.tif 000003
【図２】
2019071098.tif 000004
【図３】
2019071098.tif 000005
【図４】
2019071098.tif 000006
【図５】
2019071098.tif 000007
【図６】
2019071098.tif 000008